(57)【特許請求の範囲】
【請求項１】
帯状のバンド部（９）と、前記バンド部（９）に重ねて設けられ背負時に作業者に当接しクッション性を付与する帯状のクッション部（１０）と、を備え、前記バンド部（９）と前記クッション部（１０）とは端部において二股に分かれた分岐部（９ａ，１０ａ）をそれぞれ有し、前記バンド部（９）の前記分岐部（９ａ）の先端側に、作業機本体部側係止部（１３）に係止される係止部（１２）を備えた背負式作業機（１）の背負バンド（８）において、
前記係止部（１２）が前記作業機本体部側係止部（１３）に係止される前から、前記バンド部（９）の前記分岐部（９ａ）と前記クッション部（１０）の前記分岐部（１０ａ）の先端側同士を連結した連結部（１４）を備え、
前記係止部（１２）を前記作業機本体部側係止部（１３）に係止する際、前記クッション部（１０）の前記分岐部（１０ａ）の先端側は前記連結部（１４）に案内されることを特徴とする背負式作業機（１）の背負バンド（８）。
【請求項２】
前記バンド部（９）の前記係止部（１２）は、
前記分岐部（９ａ）の先端側に設けられ、前記作業機本体部側係止部（１３）を通過可能な筒状部（９ｂ）と、
前記作業機本体部側係止部（１３）を通過した状態の前記筒状部（９ｂ）が戻ることを妨げ前記作業機本体部側係止部（１３）に係止させるべく前記筒状部（９ｂ）に挿通される棒状部材（２０）と、を備え、
前記筒状部（９ｂ）は、前記バンド部（９）の前記分岐部（９ａ）を折り返した折返し部（９ｃ）を、折り返していない部分に連結したものであり、
前記連結部（１４）は、前記バンド部（９）の前記分岐部（９ａ）の一部であり、当該分岐部（９ａ）の前記折返し部（９ｃ）からさらに先に延在している部分であることを特徴とする請求項１記載の背負式作業機（１）の背負バンド（８）。
【発明の詳細な説明】
【技術分野】
【０００１】
本発明は、背負式作業機に用いられる背負バンドに関する。
【背景技術】
【０００２】
例えば背負式動力噴霧機等を始めとした背負式作業機にあっては、タンクや動力源等を備えた作業機本体部を背負うための背負バンドを左右一対備え、各背負バンドの上端部と下端部が、作業機本体部の上部と下部にそれぞれ取り付けられる。特に、以下の特許文献１には、背負バンドの上端部を背負枠の上部に取り付ける構造が詳説されている。
【０００３】
この背負バンドでは、帯状のクッション材を上下から帯状のカバーシートで挟んだクッション性を有する帯状のパッド部材（以下クッション部と呼ぶ）と、このクッション部に上側から重ねられた帯状の上側バンド（以下バンド部と呼ぶ）と、を備えており、これらのクッション部とバンド部とは、上端側において二股に分かれている。バンド部においてクッション部から分岐した上端帯状部（以下バンド部の分岐部と呼ぶ）は、その先端に筒状部を備え、この筒状部が、作業機本体部の係止部となる支持部（以下作業機本体部側係止部と呼ぶ）に対して上方から裏側を通り前側へ向かうように巻き付けられ、この巻き付けられた筒状部に対して抜止ピンが挿通されることによって、当該筒状部が戻ることが阻止され、作業機本体部側係止部に係止される構成となっている。
【０００４】
一方、クッション部においてバンド部から分岐した上端部（以下クッション部の分岐部と呼ぶ）は、バンド部の分岐部が作業機本体部側係止部に引っ張られて係止される際に、バンド部から離れ下方へ湾曲・移動しながら背負枠に引き寄せられて当接し、下方を向いた状態で保持される。このように、クッション部の分岐部が、下方を向いた状態で保持されるため、背負時にあっては、作業者の肩にクッション部の分岐部が当接してクッション性が付与され、作業者の肩の不快感を軽減できるとされている。
【先行技術文献】
【特許文献】
【０００５】
【特許文献１】特開２０１２−７５３６５号公報
【発明の概要】
【発明が解決しようとする課題】
【０００６】
しかしながら、上記背負バンドにあっては、クッション部の分岐部が、下方を向いた状態で保持されるとあるが、バンド部の分岐部が引っ張られて筒状部が作業機本体部側係止部に係止される際に、クッション部の分岐部は、その位置を固定されているわけではないため、位置ずれを生じる場合があり、この位置ずれの状態で保持されてしまうと、背負い心地が低減する。
【０００７】
本発明は、このような課題を解決するために成されたものであり、背負い心地を向上できる背負式作業機の背負バンドを提供することを目的とする。
【課題を解決するための手段】
【０００８】
本発明による背負式作業機の背負バンドは、帯状のバンド部（９）と、バンド部（９）に重ねて設けられ背負時に作業者に当接しクッション性を付与する帯状のクッション部（１０）と、を備え、バンド部（９）とクッション部（１０）とは端部において二股に分かれた分岐部（９ａ，１０ａ）をそれぞれ有し、バンド部（９）の分岐部（９ａ）の先端側に、作業機本体部側係止部（１３）に係止される係止部（１２）を備えた背負式作業機（１）の背負バンド（８）において、係止部（１２）が作業機本体部側係止部（１３）に係止される前から、バンド部（９）の分岐部（９ａ）とクッション部（１０）の分岐部（１０ａ）の先端側同士を連結した連結部（１４）を備え、係止部（１２）を作業機本体部側係止部（１３）に係止する際、クッション部（１０）の分岐部（１０ａ）の先端側は連結部（１４）に案内されることを特徴としている。
【０００９】
このような背負式作業機の背負バンドによれば、バンド部（９）の分岐部（９ａ）とクッション部（１０）の分岐部（１０ａ）の先端側同士が、連結部（１４）により連結されているため、バンド部（９）の分岐部（９ａ）の先端側の係止部（１２）が、作業機本体部側係止部（１３）に係止されるにあたって、クッション部（１０）の分岐部（１０ａ）の先端側は、自由に移動するのではなく、連結部（１４）に引っ張られて（案内されて）移動しその位置が決まる。その結果、クッション部（１０）の分岐部（１０ａ）の位置ずれが防止され、背負い心地を向上できる。
【００１０】
ここで、上記作用を好適に奏する構成としては、具体的には、バンド部（９）の係止部（１２）は、分岐部（９ａ）の先端側に設けられ、作業機本体部側係止部（１３）を通過可能な筒状部（９ｂ）と、作業機本体部側係止部（１３）を通過した状態の筒状部（９ｂ）が戻ることを妨げ作業機本体部側係止部（１３）に係止させるべく筒状部（９ｂ）に挿通される棒状部材（２０）と、を備え、筒状部（９ｂ）は、バンド部（９）の分岐部（９ａ）を折り返した折返し部（９ｃ）を、折り返していない部分に連結したものであり、連結部（１４）は、バンド部（９）の分岐部（９ａ）の一部であり、当該分岐部（９ａ）の折返し部（９ｃ）からさらに先に延在している部分である構成が挙げられる。
【００１１】
このような構成によれば、連結部（１４）は、バンド部（９）の分岐部（９ａ）の一部であり、当該分岐部（９ａ）の折返し部（９ｃ）からさらに先に延在している部分により構成されているため、連結部（１４）として別途部品を用意する必要がないと共に、バンド部（９）の分岐部（９ａ）に対する連結の手間が省け、部品コストの低減及び製造コストの低減を図ることができる。
【発明の効果】
【００１２】
このように本発明によれば、背負い心地を向上できる背負式作業機の背負バンドを提供できる。
【図面の簡単な説明】
【００１３】
【図１】本発明の背負バンドが適用された背負式作業機を示す後方斜視図である。
【図２】図１に示す背負式作業機の前方斜視図である。
【図３】図２に示す背負式作業機の上部の拡大図であり、背負バンドを取り外した状態を示す図である。
【図４】図１〜図３中の背負バンドの上端部を示す側面図である。
【図５】図４に示す背負バンドの上端部を図３に示す背負式作業機の作業機本体部側係止部に係止する手順を示す説明図である。
【図６】図５に続く説明図である。
【発明を実施するための形態】
【００１４】
以下、本発明に係る背負式作業機の背負バンドの好適な実施形態について、添付図面を参照しながら説明する。以下の説明において、上下、前後、左右等の方向を表す語は、作業者が背負式作業機を背負って直立した状態を基準とし、作業者にとり前方を「前」と定める。
【００１５】
図１は、本発明の背負バンドが適用された背負式作業機を示す後方斜視図、図２は、前方斜視図、図３は、背負バンドを取り外した背負式作業機の上部を示す前方斜視図、図４は、背負バンドの上端部を示す側面図、図５は、背負バンドの上端部を作業機本体部側係止部に係止する手順を示す説明図、図６は、図５に続く説明図である。背負式作業機は、ここでは、背負式動力噴霧機であり、作業者が、噴霧機本体部（作業機本体部）を背負いながら薬剤を噴霧するためのものである。
【００１６】
図１及び図２に示すように、背負式動力噴霧機１の噴霧機本体部１１は、概略、薬剤タンク２、架台６、エンジン３、燃料タンク５及びポンプ４等を備える。
【００１７】
薬剤タンク２は、噴霧機本体部１１の上部を構成し薬剤（薬液）を貯留する。架台６は、噴霧機本体部１１の下部を構成し、これらの薬剤タンク２と架台６とは、軸部７により回動可能に連結され、薬剤タンク２は、前傾が可能な所謂スイングタンクとされている。
【００１８】
架台６には、エンジン３、燃料タンク５及びポンプ４等が搭載される。エンジン３は、燃料タンク５に貯留された燃料により駆動されてポンプ４を駆動し、ポンプ４の駆動により薬剤タンク２の薬剤は下流側へ送り出される。
【００１９】
この背負式動力噴霧機１はさらに、薬剤タンク２から送り出された薬剤を作業者の手元まで伝送するための噴霧ホースと、噴霧ホースの端部に設けられ噴霧ホースからの薬剤を噴霧するための噴霧ノズルと、を備えている。また、噴霧機本体部１１の前面には、作業者の背中に当接しクッション性を有する背当て部材が取り付けられている。なお、図面において、これらの噴霧ホース、噴霧ノズル及び背当て部材は取り外されている。
【００２０】
背負式動力噴霧機１は、噴霧機本体部１１に取り付けられた左右一対の背負バンド８，８を備えている。背負バンド８，８のそれぞれは、一定幅を有する長尺な帯状のバンド部９を有している。このバンド部９の上部及び下部には、バンド部９の長手方向に沿ってクッション部１０，１０がそれぞれ固定されている。
【００２１】
クッション部１０は、折り曲げ可能に構成され、ここでは、例えばポリウレタンフォーム等を主材料として形成される。このクッション部１０は、図４に示すように、バンド部９に重ねて設けられ、背負時に作業者に当接しクッション性を付与するものである。
【００２２】
バンド部９とクッション部１０とは上端部において二股に分かれた分岐部９ａ，１０ａをそれぞれ有する。バンド部９の分岐部９ａの先端側には、背負バンド８を噴霧機本体部１１に係止するための係止部１２を構成する筒状部９ｂが設けられており（詳しくは後述）、図２に示すように、背負バンド８，８の上端部の係止部１２，１２が、薬剤タンク２の前側の上部に左右対称に設けられた一対の上部バンド取付部１３，１３に対して、着脱自在に係止される。また、背負バンド８の下端部も、架台６の下端部に左右対称に設けられた一対の下部バンド取付部に対して、着脱自在に係止される。
【００２３】
図３に示すように、薬剤タンク２の上部バンド取付部１３は、凹部１３ａと、凹部１３ａを構成する左右の側面同士の間に掛け渡されたバー１３ｂと、を備える。凹部１３ａにおいてバー１３ｂと凹部１３ａを構成する底面との間の隙間（空間）は、上方から下方へ向かって、バンド部９の分岐部９ａの筒状部９ｂの通過を可能とする一方で、下方へ通過した状態で棒状部材２０が挿通された筒状部９ｂの上方への通過を不可とする大きさに構成されている（図５及び図６参照）。そして、図５に示すように、バー１３ｂを下方に通過した背負バンド８のバンド部９の筒状部９ｂに、図６に示すように、棒状部材２０が挿通されることで、背負バンド８の上端部の係止が可能となっている。すなわち、凹部１３ａ及びバー１３ｂを備える上部バンド取付部１３により、バンド部９の上端部を係止するための作業機本体部側係止部が構成され、バンド部９の筒状部９ｂ及び棒状部材２０により、作業機本体部側係止部である上部バンド取付部１３に係止される係止部１２が構成されている。
【００２４】
図４に示すように、バンド部９の分岐部９ａは、クッション部１０との縫合による縫合部ｘから分岐し、所定長の位置から折り返した折返し部９ｃを、折り返していない元の部分に縫合による縫合部ｙにより連結することによって、上記筒状部９ｂが構成される。この筒状部９ｂは、内部に棒状部材２０を挿通することで筒状に膨らませられるが（図３参照）、棒状部材２０が挿通していない状態では、図４に示すように、平坦になっている。
【００２５】
ここで、特に本実施形態においては、バンド部９の分岐部９ａとクッション部１０の分岐部１０ａの先端側同士を連結する連結部１４を備えている。連結部１４は、ここでは、バンド部９の分岐部９ａの一部であり、バンド部９の分岐部９ａの折返し部９ｃからさらに先に延在している部分を、クッション部１０の分岐部１０ａの先端側に縫合による縫合部ｚにより連結したものである。
【００２６】
このような背負バンド８の上端部を、上部バンド取付部１３に取り付ける際には、図３に示すように、バンド部９の筒状部９ｂを、矢印のように、凹部１３ａの上部の開口から下方に通す。そして、図５に示すように、クッション部１０の分岐部１０ａを下方に凸になるように折り曲げながら筒状部９ｂを下方へ引き出し、棒状部材２０を挿通するスペースを確保する。
【００２７】
このとき、バンド部９の分岐部９ａとクッション部１０の分岐部１０ａの先端側同士が、連結部１４により連結されているため、クッション部１０の分岐部１０ａの先端側は、連結部１４に引っ張られて（案内されて）移動する。
【００２８】
そして、図６に示すように、バンド部９の筒状部９ｂに棒状部材２０を挿通することにより、筒状部９ｂがそれ以上戻ることが妨げられ、背負バンド８の上端部が上部バンド取付部１３に係止されることになる。この状態で、クッション部１０の分岐部１０ａの位置は、連結部１４に案内された当初の予定された位置にある。
【００２９】
このように、本実施形態においては、バンド部９の分岐部９ａとクッション部１０の分岐部１０ａの先端側同士が、連結部１４により連結されているため、バンド部９の分岐部９ａの先端側の係止部１２が、作業機本体部側係止部である上部バンド取付部１３に係止されるにあたって、クッション部１０の分岐部１０ａの先端側は、自由に移動するのではなく、連結部１４に引っ張られて移動しその位置が決まる。その結果、クッション部１０の分岐部１０ａの位置ずれが防止され、背負い心地を向上できる。
【００３０】
また、連結部１４は、バンド部９の分岐部９ａの一部であり、当該分岐部９ａの折返し部９ｃからさらに先に延在している部分により構成されているため、連結部１４として別途部品を用意する必要がないと共に、バンド部９の分岐部９ａに対する連結の手間が省け、部品コストの低減及び製造コストの低減を図ることができる。
【００３１】
以上、本発明をその実施形態に基づき具体的に説明したが、本発明は上記実施形態に限定されるものではなく、例えば、上記実施形態においては、部品コストの低減及び製造コストの低減の面から、特に好ましいとして、連結部１４を、バンド部９の分岐部９ａの折返し部９ｃからさらに先に延在している部分としているが、別部材により、バンド部９の分岐部９ａとクッション部１０の分岐部１０ａの先端側同士を連結するようにしても良い。また、バンド部９の分岐部９ａの先端側の係止部１２、及び、この係止部１２を係止する上部バンド取付部（作業機本体部側係止部）１３の構成も、上記実施形態のものに限定されるものではない。
【００３２】
また、上記実施形態においては、特に好ましいとして、薬剤タンク２が架台６に対して前傾可能なスイングタンクに対する適用を述べているが、薬剤タンク２が架台６に対して固定され前傾しないタンクに対しても適用可能である。
【００３３】
また、上記実施形態においては、薬剤（薬液）を噴霧するための背負式動力噴霧機に対する適用を述べているが、例えば、背負式動力散布機等の背負式動力作業機に対して適用可能であり、さらには、背負式手動式の噴霧機や散布機等の作業機に対しても適用可能であり、要は、背負バンドを備えた背負式作業機に対して適用できる。
【符号の説明】
【００３４】
１…背負式動力噴霧機（背負式作業機）、８…背負バンド、９…バンド部、９ａ…バンド部の分岐部、９ｂ…筒状部、９ｃ…折返し部、１０…クッション部、１０ａ…クッション部の分岐部、１２…バンド部の係止部、１３…上部バンド取付部（作業機本体部側係止部）、１４…連結部、２０…棒状部材。
【図１】
0006397803.tif 000002
【図２】
0006397803.tif 000003
【図３】
0006397803.tif 000004
【図４】
0006397803.tif 000005
【図５】
0006397803.tif 000006
【図６】
0006397803.tif 000007